(57)【要約】【課題】リンク選択の際における確実性および操作性と、ページ閲覧の際における視認性および利便性とを両立させることができる「車載機およびＨＴＭＬページ操作方法」を提供すること。【解決手段】ページスクロール手段１１によるスクロール表示の際に、ＨＴＭＬページの端部の位置を検出するＨＴＭＬページ端位置検出手段１４と、これの検出結果に基づいて、ページスクロール手段１１によるスクロール表示を制御するページスクロール制御手段１５とを備え、ページスクロール制御手段１５は、ページ端位置検出手段１４によって検出されたＨＴＭＬページの端部の位置が、表示領域の端部の位置に合致したことを契機として、スクロール表示を一旦停止させ、その後のスクロール操作を契機として、スクロール表示を再開させること。【選択図】図１
2013149010.tif 000002
【特許請求の範囲】
【請求項１】
表示部と、
この表示部の表示領域に、ブラウザに基づいてＨＴＭＬページを表示するＨＴＭＬページ表示手段と、
このＨＴＭＬページ表示手段によって表示された前記ＨＴＭＬページ上に、このＨＴＭＬページの操作位置を示すカーソルを表示するカーソル表示手段と、
このカーソル表示手段によって表示された前記カーソルに基づいて前記ＨＴＭＬページを操作するための操作手段と
を備えた車載機であって、
前記カーソル表示手段は、前記カーソルを前記表示領域における所定の位置に固定表示し、
車載機本体は、
前記操作手段による所定のスクロール操作に応じて、前記ＨＴＭＬページを前記スクロール操作に対応するスクロール方向に移動させて、前記ＨＴＭＬページに対する前記カーソルの相対的な位置を変化させることによって、前記操作位置の変更をともなう前記ＨＴＭＬページのスクロール表示を実行するページスクロール手段と、
このページスクロール手段による前記スクロール表示の際に、前記ＨＴＭＬページの端部が前記表示領域の端部よりも当該表示領域の内側に移動されることを許容するためのページ外余白画像を、当該移動される前記ＨＴＭＬページの端部の外側に表示するページ外余白画像表示手段と、
前記ページスクロール手段による前記スクロール表示の際に、前記ＨＴＭＬページの端部の位置を検出するＨＴＭＬページ端位置検出手段と、
このＨＴＭＬページ端位置検出手段の検出結果に基づいて、前記ページスクロール手段による前記スクロール表示を制御するページスクロール制御手段と
を備え、
前記ページスクロール制御手段は、
前記ＨＴＭＬページ端位置検出手段によって検出された前記ＨＴＭＬページの端部の位置が、当該ＨＴＭＬページの端部に平行な前記表示領域の端部の位置に合致したことを契機として、前記スクロール操作にかかわらず前記スクロール表示を一旦停止させ、その後の前記スクロール操作を契機として、前記スクロール表示を再開させ、
前記ＨＴＭＬページ表示手段は、
前記スクロール表示によって前記ＨＴＭＬページに埋め込まれているハイパーリンクが前記カーソルの固定表示位置に該当する前記操作位置に移動された状態における前記操作手段による所定の決定操作を契機として、前記ハイパーリンクのリンク先のＨＴＭＬページを取得して表示すること
を特徴とする車載機。
【請求項２】
前記操作手段は、タッチパッドを含むことを特徴とする請求項１に記載の車載機。
【請求項３】
車載機の表示部の表示領域に、ブラウザに基づいてＨＴＭＬページを表示するとともに、当該ＨＴＭＬページ上に、これの操作位置を示すカーソルを表示した状態で、操作手段によって、前記カーソルに基づいた前記ＨＴＭＬページの操作を行うためのＨＴＭＬページ操作方法であって、
前記カーソルを前記表示領域における所定の位置に固定表示する第１のステップと、
前記操作手段による所定のスクロール操作に応じて、前記ＨＴＭＬページを前記スクロール操作に対応するスクロール方向に移動させて、前記ＨＴＭＬページに対する前記カーソルの相対的な位置を変化させることによって、前記操作位置の変更をともなう前記ＨＴＭＬページのスクロール表示を実行する第２のステップと、
この第２のステップにおける前記スクロール表示の際に、前記ＨＴＭＬページの端部が前記表示領域の端部よりも当該表示領域の内側に移動されることを許容するためのページ外余白画像を、当該移動される前記ＨＴＭＬページの端部の外側に表示する第３のステップと、
前記第２のステップにおける前記スクロール表示の際に、前記ＨＴＭＬページの端部の位置を検出する第４のステップと、
この第４のステップにおいて検出された前記ＨＴＭＬページの端部の位置が、当該ＨＴＭＬページの端部に平行な前記表示領域の端部の位置に合致したことを契機として、前記スクロール操作にかかわらず前記スクロール表示を一旦停止する第５のステップと、
この第５のステップの後の前記スクロール操作を契機として、前記スクロール表示を再開させる第６のステップと、
前記スクロール表示によって前記ＨＴＭＬページに埋め込まれているハイパーリンクが前記カーソルの固定表示位置に該当する前記操作位置に移動された状態における前記操作手段による所定の決定操作を契機として、前記ハイパーリンクのリンク先のＨＴＭＬページを取得して表示する第７のステップと
を含むことを特徴とするＨＴＭＬページ操作方法。
【発明の詳細な説明】
【技術分野】
【０００１】
本発明は、車載機およびＨＴＭＬページ操作方法に係り、特に、車載機におけるＨＴＭＬページの操作に好適な車載機およびＨＴＭＬページ操作方法に関する。
【背景技術】
【０００２】
一般に、表示装置の表示部にブラウザを用いて表示されたＨＴＭＬ(Hyper Text Markup Language)ページに対して、このページに埋め込まれているハイパーリンク（以下、リンクと略称する）を選択してリンク先のページにジャンプしようとする場合には、タッチパネルを利用すれば、該当するリンクの操作位置を直接タッチすることによって実行することが可能である。
【０００３】
一方、このようなＨＴＭＬページを車載機の表示部に表示させる場合における運転者の操作性を考慮した場合には、運転席に座ったままの状態で無理なくＨＴＭＬページを操作できるようにすることが望ましい。
【０００４】
そのための手段の１つとしては、図４に示すように、車両のステアリング部分に、タッチパネルの代替となる入力インターフェースＩＩＦを設けることが考えられる。
【０００５】
しかるに、このような入力インターフェースＩＩＦは、タッチパネルのようにＨＴＭＬページ上のリンクの操作位置を直接タッチできるものではないので、別の手法でリンクを選択できるようにする必要がある。
【０００６】
このような手法の１つとしては、入力インターフェースとしてタッチパッドを利用し、ＨＴＭＬページ上にタッチパッドの座標入力位置（操作位置）を示すカーソルを表示して、このカーソルをタッチパッドのカーソル移動操作によってリンクに該当する位置まで移動させた上で、タッチパッドの決定操作によって当該リンクを選択できるようにすることが考えられる。
【０００７】
しかし、このような手法には、カーソル移動にタッチパッドを使うことによって、タッチパッドを用いたページスクロールができなくなるといった問題がある。また、カーソルを画面上で探さなければならないため、使い勝手が悪く、さらに、運転中には危険をともなうといった問題もある。
【０００８】
このような問題に対処する手法としては、図５に示すように、カーソルＣを表示部３の表示領域Ａの中央位置に固定表示した上で、ページスクロールにともなってＨＴＭＬページＰに対するカーソルＣの相対位置を変化させることによって、カーソル移動を兼ねたページスクロールを行うことが考えれる。
【０００９】
このような手法に関連する従来技術としては、例えば、特許文献１および特許文献２がある。
【先行技術文献】
【特許文献】
【００１０】
【特許文献１】特開２００３−２９５９９８号公報
【特許文献２】特開平５−１３４６５３号公報
【発明の概要】
【発明が解決しようとする課題】
【００１１】
しかしながら、前述したカーソル移動を兼ねたページスクロールにおいてもなお、以下に述べるような問題点がある。
【００１２】
すなわち、図５に示したように、カーソルＣが表示領域Ａの中央位置に固定表示された状態のＨＴＭＬページＰに対して、このページＰの左上端に埋め込まれているリンクＬである「ホーム」を選択したい場合には、図６に示すように、ページＰの左上端が表示領域Ａの中央位置（カーソルＣ位置）まで移動されることを許容するために、表示領域Ａに、ページＰの外側の余白画像ＭＰが表示されるような画面構成を採用することが必要となる。
【００１３】
ここで、余白画像（以下、ページ外余白画像と称する）ＭＰは、ＨＴＭＬページＰの端部の外側に表示すべき画像情報が存在しないと車載機側で認識されてしまうことによって、「ホーム」Ｌのカーソル位置までの移動が規制されてしまうことを防ぐためのものである。
【００１４】
しかし、このような画面構成を採用した場合には、逆に、ページスクロールの際に、ＨＴＭＬページＰの端部が表示領域Ａの端部で止まる保証がなくなるため、リンク選択時以外の通常の閲覧時においても、無用なページ外余白画像ＭＰが表示されて肝心なページ内容が犠牲になることによって、視認性および利便性を損ねる場合があるといった新たな問題が懸念される。
【００１５】
そこで、本発明は、このような点に鑑みなされたものであり、リンク選択の際における確実性および操作性と、ページ閲覧の際における視認性および利便性とを両立させることができる車載機およびＨＴＭＬページ操作方法を提供することを目的とするものである。
【課題を解決するための手段】
【００１６】
前述した目的を達成するため、本発明に係る車載機は、表示部と、この表示部の表示領域に、ブラウザに基づいてＨＴＭＬページを表示するＨＴＭＬページ表示手段と、このＨＴＭＬページ表示手段によって表示された前記ＨＴＭＬページ上に、このＨＴＭＬページの操作位置を示すカーソルを表示するカーソル表示手段と、このカーソル表示手段によって表示された前記カーソルに基づいて前記ＨＴＭＬページを操作するための操作手段とを備えた車載機であって、前記カーソル表示手段は、前記カーソルを前記表示領域における所定の位置に固定表示し、車載機本体は、前記操作手段による所定のスクロール操作に応じて、前記ＨＴＭＬページを前記スクロール操作に対応するスクロール方向に移動させて、前記ＨＴＭＬページに対する前記カーソルの相対的な位置を変化させることによって、前記操作位置の変更をともなう前記ＨＴＭＬページのスクロール表示を実行するページスクロール手段と、このページスクロール手段による前記スクロール表示の際に、前記ＨＴＭＬページの端部が前記表示領域の端部よりも当該表示領域の内側に移動されることを許容するためのページ外余白画像を、当該移動される前記ＨＴＭＬページの端部の外側に表示するページ外余白画像表示手段と、前記ページスクロール手段による前記スクロール表示の際に、前記ＨＴＭＬページの端部の位置を検出するＨＴＭＬページ端位置検出手段と、このＨＴＭＬページ端位置検出手段の検出結果に基づいて、前記ページスクロール手段による前記スクロール表示を制御するページスクロール制御手段とを備え、前記ページスクロール制御手段は、前記ＨＴＭＬページ端位置検出手段によって検出された前記ＨＴＭＬページの端部の位置が、当該ＨＴＭＬページの端部に平行な前記表示領域の端部の位置に合致したことを契機として、前記スクロール操作にかかわらず前記スクロール表示を一旦停止させ、その後の前記スクロール操作を契機として、前記スクロール表示を再開させ、前記ＨＴＭＬページ表示手段は、前記スクロール表示によって前記ＨＴＭＬページに埋め込まれているハイパーリンクが前記カーソルの固定表示位置に該当する前記操作位置に移動された状態における前記操作手段による所定の決定操作を契機として、前記ハイパーリンクのリンク先のＨＴＭＬページを取得して表示することを特徴としている。
【００１７】
また、本発明に係るＨＴＭＬページ操作方法は、車載機の表示部の表示領域に、ブラウザに基づいてＨＴＭＬページを表示するとともに、当該ＨＴＭＬページ上に、これの操作位置を示すカーソルを表示した状態で、操作手段によって、前記カーソルに基づいた前記ＨＴＭＬページの操作を行うためのＨＴＭＬページ操作方法であって、前記カーソルを前記表示領域における所定の位置に固定表示する第１のステップと、前記操作手段による所定のスクロール操作に応じて、前記ＨＴＭＬページを前記スクロール操作に対応するスクロール方向に移動させて、前記ＨＴＭＬページに対する前記カーソルの相対的な位置を変化させることによって、前記操作位置の変更をともなう前記ＨＴＭＬページのスクロール表示を実行する第２のステップと、この第２のステップにおける前記スクロール表示の際に、前記ＨＴＭＬページの端部が前記表示領域の端部よりも当該表示領域の内側に移動されることを許容するためのページ外余白画像を、当該移動される前記ＨＴＭＬページの端部の外側に表示する第３のステップと、前記第２のステップにおける前記スクロール表示の際に、前記ＨＴＭＬページの端部の位置を検出する第４のステップと、この第４のステップにおいて検出された前記ＨＴＭＬページの端部の位置が、当該ＨＴＭＬページの端部に平行な前記表示領域の端部の位置に合致したことを契機として、前記スクロール操作にかかわらず前記スクロール表示を一旦停止する第５のステップと、この第５のステップの後の前記スクロール操作を契機として、前記スクロール表示を再開させる第６のステップと、前記スクロール表示によって前記ＨＴＭＬページに埋め込まれているハイパーリンクが前記カーソルの固定表示位置に該当する前記操作位置に移動された状態における前記操作手段による所定の決定操作を契機として、前記ハイパーリンクのリンク先のＨＴＭＬページを取得して表示する第７のステップとを含むことを特徴としている。
【００１８】
そして、このような本発明によれば、カーソルを固定表示した状態でのＨＴＭＬページのスクロール表示の際に、ＨＴＭＬページの端部の位置が表示領域の端部の位置に合致したことを契機として、スクロール表示を一旦停止することができるので、スクロール操作を、リンク選択を目的とせずページ内の閲覧箇所の変更を目的として行ったユーザにとっては、無用なページ外余白画像の表示を抑制してページの視認性を確保がされるといったメリットがあり、また、スクロール操作をリンク選択を目的として行ったユーザにとっては、リンク選択を確実に行うことができるといったメリットがあり、その一方で、スクロール表示が停止されることについては、一時的なものに過ぎないので、操作性を犠牲にすることは殆ど無い。
【００１９】
さらに、前記操作手段は、タッチパッドを含んでもよい。
【００２０】
そして、このような構成によれば、タッチパッドを利用したスクロール操作によるリンク選択を、操作性を犠牲にすることなく確実に行うことができるとともに、タッチパッドを利用したスクロール操作による閲覧箇所の変更を、視認性および利便性を損なうことなく行うことができる。
【発明の効果】
【００２１】
本発明によれば、リンク選択の際における確実性および操作性と、ページ閲覧の際における視認性および利便性とを両立させることができる。
【図面の簡単な説明】
【００２２】
【図１】本発明に係る車載機の実施形態を示すブロック図
【図２】本発明に係る車載機の実施形態を示す画面遷移例
【図３】本発明に係るＨＴＭＬページ操作方法の実施形態を示すフローチャート
【図４】ステアリング部に配置された操作部を示す模式図
【図５】カーソル移動を兼ねたページスクロールを行うための画面構成例を示す第１の模式図
【図６】カーソル移動を兼ねたページスクロールを行うための画面構成例を示す第２の模式図
【発明を実施するための形態】
【００２３】
（車載機の実施形態）
以下、本発明に係る車載機の実施形態について、図１および図２を参照して説明する。
【００２４】
図１は、本実施形態における車載機１を示すブロック図である。
【００２５】
図１に示すように、本実施形態における車載機１は、大別して、制御部２と、この制御部２にそれぞれ接続された表示部３、操作手段としての操作部４、通信部５およびＨＴＭＬページ記憶部６とを有している。制御部２は、不図示のＲＯＭ内に格納されたプログラムを実行する演算処理装置によって構成してもよい。
【００２６】
図１に示すように、制御部２は、その機能ブロックの１つとして、ＨＴＭＬページ表示手段としてのＨＴＭＬページ表示処理部７を有している。このＨＴＭＬページ表示処理部７は、車載機１の不図示のＲＯＭに記憶されたＷｅｂブラウザに基づいて、ＨＴＭＬページ（換言すれば、Ｗｅｂページ）Ｐを表示部３の表示領域Ａに表示するようになっている（図５、図６参照）。このとき、ＨＴＭＬページ表示処理部７は、操作部４による文字入力またはリンク選択によって指定されたＵＲＬに、通信部５の通信機能を利用してアクセスし、当該ＵＲＬに該当するＨＴＭＬページＰを、これを保有するＷｅｂサーバ８から取得（受信）してもよい。取得したＨＴＭＬページＰは、ＨＴＭＬページ記憶部６に記憶させて表示に利用すればよい。
【００２７】
また、図１に示すように、制御部２は、その機能ブロックの１つとして、カーソル表示手段としてのカーソル表示処理部１０を有している。このカーソル表示処理部１０は、表示部３の表示領域Ａに、ＨＴＭＬページＰの操作位置を示すカーソルＣ（図５、図６参照）を固定表示するようになっている。なお、表示領域Ａ上におけるカーソルＣの固定表示位置は、図５および図６に示したように、表示領域Ａの中央位置であってもよい。
【００２８】
さらに、操作部４は、図４に示したように、車両のステアリング部分に配置されている。この操作部４は、タッチパッドであってもよい。この操作部４は、表示部３に表示されたＨＴＭＬページＰに対して、決定操作およびスクロール操作を行うことが可能とされている。なお、操作部４がタッチパッドである場合には、決定操作は、カーソルＣがＨＴＭＬページＰのリンクＬ上に配置された状態におけるタップ操作であり、また、スクロール操作は、パッド面をスクロール表示の方向に抗する方向にドラッグする操作であってもよい。これらの操作部４の操作結果は、決定操作およびスクロール操作をそれぞれ指示する操作信号（座標信号）として制御部２側で認識される。スクロール操作の場合には、操作信号として入力方向を示す方向信号（座標の変位を示す信号）が入力されるため、制御部２側では、指示されたスクロール操作方向を認識して、これに対応するスクロール表示の方向を決定することができる。また、このとき、制御部２は、スクロール操作の操作量（例えば、ドラッグ操作の連続実施回数）を検知して、当該操作量に応じたページのスクロール量を決定してもよい。
【００２９】
さらにまた、図１に示すように、制御部２は、その機能ブロックの１つとして、ページスクロール手段としてのページスクロール処理部１１を有している。このページスクロール処理部１１は、前述した操作部４によるスクロール操作に応じて、ＨＴＭＬページＰをスクロール操作に対応するスクロール方向に移動させて、ＨＴＭＬページＰに対するカーソルＣの相対的な位置を変化させることによって、ＨＴＭＬページＰの操作位置の変更をともなうＨＴＭＬページＰのスクロール表示を実行するようになっている。
【００３０】
また、図１に示すように制御部２は、その機能ブロックの１つとして、ページ外余白画像表示手段としてのページ外余白画像表示処理部１２を有している。このページ外余白画像表示処理部１２は、ページスクロール処理部１１によるスクロール表示の際に、ＨＴＭＬページＰの端部が表示領域Ａ（図５参照）の端部よりも表示領域Ａの内側に移動されることを許容するためのページ外余白画像ＭＰ（図６参照）を、当該移動されるＨＴＭＬページＰの端部の外側（ＨＴＭＬページＰの端部と表示領域Ａの端部との空隙部）に表示するようになっている。
【００３１】
なお、このようなページ外余白画像ＭＰとしては、例えば、ＨＴＭＬページＰの背後に全表示領域Ａにわたって表示させた背景画像のうちのスクロール表示にともなってＨＴＭＬページＰからはみ出した部分を採用してもよい。このような背景画像は、ブラウザの機能によって描画してもよいし、車載機１に元々備わっているグラフィックエンジンの機能によって描画してもよい。
【００３２】
あるいは、ページ外余白画像ＭＰは、ブラウザの機能によって、ＨＴＭＬページＰを包囲する枠状画像を描画することによって実現してもよい。
【００３３】
さらに、図１に示すように、制御部２は、その機能ブロックの１つとして、ＨＴＭＬページ端位置検出手段としてのＨＴＭＬページ端位置検出部１４を有している。このＨＴＭＬページ端位置検出部１４は、ページスクロール処理部１１によるスクロール表示の際に、ＨＴＭＬページＰの端部の位置を検出するようになっている。
【００３４】
このとき、ＨＴＭＬページＰの端部の位置検出は、例えば、次のようにして行うようにしてもよい。
【００３５】
すなわち、先ず、ブラウザの起動時やリンク先へのジャンプ時のように、ＨＴＭＬページＰがデフォルトで表示部３に表示される時点（スクロール表示開始前）におけるＨＴＭＬページＰの表示位置（以下、ホームポジションと称する）を認識しておく。このホームポジションは、表示領域Ａを基準とした位置である。また、ホームポジションは、ブラウザの仕様情報に基づいて把握することができるが、通常は、ＨＴＭＬページＰの左上端角部が、表示領域Ａの左上端角部に一致するような表示位置となるであろう。
【００３６】
また、このとき、ホームポジションにおけるＨＴＭＬページＰの端部（上端、下端、左端、右端の全てであってもよい）の位置（以下、初期位置と称する）を認識しておく。この端部の初期位置は、ＨＴＭＬページＰのホームポジションと、ブラウザの仕様情報から取得されたＨＴＭＬページＰの画面サイズとによって把握することができる。
【００３７】
例えば、ホームポジションにおけるＨＴＭＬページＰの左上端角部のｘｙ座標が、表示領域Ａの左上端角部のｘｙ座標と同じ座標（この座標を、便宜上（０，０）とする）であれば、ＨＴＭＬページＰの左端部の初期位置は、（０，ｙ）となる。ただし、ｙは、任意のｙ座標である。また、このとき、ＨＴＭＬページＰの上端部の初期位置は、（ｘ，０）となる。ただし、ｘは、任意のｘ座標である。さらに、このとき、ＨＴＭＬページＰのｘ方向の画面サイズをｉピクセルとした場合には、ＨＴＭＬページＰの右端部の初期位置は、（ｉ，ｙ）としてもよい。さらにまた、このとき、ＨＴＭＬページＰのｙ方向の画面サイズをｊピクセルとした場合には、ＨＴＭＬページＰの下端部の初期位置は、（ｘ，ｊ）としてもよい。
【００３８】
次いで、このようにしてＨＴＭＬページＰの端部の初期位置を認識した上で、スクロール表示の開始を契機として、操作部４によって与えられたスクロール操作の操作方向および操作量を監視して、ＨＴＭＬページＰの端部の移動量（ピクセル量）を追跡することによって、スクロール表示後におけるＨＴＭＬページＰの端部の位置を検出する。
【００３９】
そして、このような過程で、ＨＴＭＬページＰのｘ方向における端部（左端部、右端部）が、表示領域Ａのｘ方向における端部と同じｘ座標の位置に移動された場合、または、ＨＴＭＬページＰのｙ方向における端部（上端部、下端部）が、表示領域Ａのｙ方向における端部と同じｙ座標の位置に移動された場合に、ＨＴＭＬページＰの端部の位置が表示領域Ａの端部の位置に合致したと判断する。なお、このような合致の判断は、ＨＴＭＬページ端位置検出部１４が自ら行うようにしてもよいし、または、ＨＴＭＬページ端位置検出部１４の位置検出結果に基づいてページスクロール制御部１５が行うようにしてもよい。
【００４０】
さらにまた、図１に示すように、制御部２は、その機能ブロックの１つとして、ページスクロール制御手段としてのページスクロール制御部１５を有している。このページスクロール制御部１５は、ＨＴＭＬページ端位置検出部１４の検出結果に基づいて、ページスクロール処理部１１によるスクロール表示を制御するようになっている。
【００４１】
具体的には、ページスクロール制御部１５は、ＨＴＭＬページ端位置検出部１４によって検出されたＨＴＭＬページＰの端部の位置が、当該ＨＴＭＬページの端部に平行な表示領域Ａの端部の位置に合致したことを契機として、スクロール操作にかかわらずスクロール表示を一旦停止させるようになっている。そして、ページスクロール制御部１５は、スクロール表示の停止後のスクロール操作を契機として、スクロール表示を再開させるようになっている。
【００４２】
ここで、図２は、このような場合の画面遷移例を示したものである。すなわち、ＨＴＭＬページＰの上端部が表示領域Ａの上端部に合致し、ＨＴＭＬページＰの左端部が表示領域Ａの左端部に合致しているホームポジション（ＳＴＥＰ１）において、操作部４によって右下方向へのスクロール操作（ＳＴＥＰ２）が行われると、画面上では、左上方向へのスクロール表示が開始する。これにより、ＨＴＭＬページＰの上端部が表示領域Ａの上端部よりも上方に位置するようにして表示領域Ａから逸脱され、ＨＴＭＬページＰの左端部が表示領域Ａの左端部よりも左方に位置するようにして表示領域Ａから逸脱される（ＳＴＥＰ３）。次いで、操作部４によって左方向へのスクロール操作（ＳＴＥＰ４）が行われると、画面上では、右方向へのスクロール表示が開始する。そして、その過程で、ＨＴＭＬページＰの左端部の位置が表示領域Ａの左端部上に重なったことがＨＴＭＬページ端位置検出部１４によって検出されると、ページスクロール制御部１５により、例えば、この検出直後の１回分の左方向へのスクロール操作が無効にされることによって、右方向へのスクロール表示が一旦停止する（ＳＴＥＰ５）。そして、その直後、新たな左方向へのスクロール操作が行われると、ページスクロール制御部１５は、この操作を有効なものと受け付けて、右方向へのスクロール表示を再開させる（ＳＴＥＰ６）。
【００４３】
そして、このようなスクロール表示が行われる過程で、ＨＴＭＬページ表示処理部７は、図６に示したように、ＨＴＭＬページＰ上のリンクＬがカーソルＣの固定表示位置に該当する操作位置に移動された状態における操作部４の決定操作を契機として、リンクＬのリンク先のＨＴＭＬページにジャンプするようになっている。
【００４４】
（ＨＴＭＬページ操作方法）
次に、前述した車載機１を適用した本発明に係るＨＴＭＬページ操作方法の実施形態について、図３を参照して説明する。
【００４５】
本実施形態においては、まず、図３のステップ１１（ＳＴ１１）において、ＨＴＭＬページ表示処理部７によるＨＴＭＬページの表示およびカーソル表示処理部１０によるカーソルの固定表示を行う。
【００４６】
次いで、ステップ１２（ＳＴ１２）において、ページスクロール処理部１１により、操作部４によるスクロール操作が行われたか否かを判定する。そして、ステップ１２（ＳＴ１２）において肯定的な判定結果が得られた場合には、ステップ１３（ＳＴ１３）に進み、否定的な判定結果が得られた場合には、ステップ１８（ＳＴ１８）に進む。
【００４７】
次いで、ステップ１３（ＳＴ１３）において、ページスクロール処理部１１により、スクロール操作に応じたスクロール表示を行う。
【００４８】
次いで、ステップ１４（ＳＴ１４）において、ページスクロール制御部１５により、ＨＴＭＬページの端部の位置と表示領域の端部の位置との合致が検出されたか否かを判定する。そして、ステップ１４（ＳＴ１４）において肯定的な判定結果が得られた場合には、ステップ１５（ＳＴ１５）に進み、否定的な判定結果が得られた場合には、ステップ１３（ＳＴ１３）に戻る。
【００４９】
次いで、ステップ１５（ＳＴ１５）において、ページスクロール制御部１５によるページスクロール処理部１１の制御により、ステップ１４（ＳＴ１４）の直後における１回分のスクロール操作を無効にして、スクロール表示を一旦停止する。
【００５０】
次いで、ステップ１６（ＳＴ１６）において、ページスクロール制御部１５により、新たなスクロール操作が行われたか否かを判定する。そして、ステップ１６（ＳＴ１６）において肯定的な判定結果が得られた場合には、ステップ１７（ＳＴ１７）に進み、否定的な判定結果が得られた場合には、ステップ１８（ＳＴ１８）に進む。
【００５１】
次いで、ステップ１７（ＳＴ１７）において、ページスクロール制御部１５によるページスクロール処理部１１の制御により、スクロール表示を再開する。
【００５２】
次いで、ステップ１８（ＳＴ１８）において、ＨＴＭＬページ表示処理部７により、カーソルがリンクを指示した状態における操作部４の決定操作が行われたか否かを判定する。そして、ステップ１８（ＳＴ１８）において肯定的な判定結果が得られた場合には、ステップ１９（ＳＴ１９）に進み、否定的な判定結果が得られた場合には、ステップ１２（ＳＴ１２）に戻る。
【００５３】
次いで、ステップ１９（ＳＴ１９）において、ＨＴＭＬページ表示処理部７により、ステップ１８（ＳＴ１８）において決定されたリンクのリンク先にジャンプして、新たなＨＴＭＬページを表示して処理を終了する。なお、このようにして新たに表示されたＨＴＭＬページに対して、ステップ１２（ＳＴ１２）以降の処理を繰り返してよいことは勿論である。
【００５４】
以上述べたように、本発明によれば、カーソルを固定表示した状態でのＨＴＭＬページのスクロール表示の際に、ＨＴＭＬページの端部の位置が表示領域の端部の位置に合致したことを契機として、スクロール表示を一旦停止することができる。したがって、スクロール操作を、リンク選択を目的とせずページ内の表示箇所の変更を目的として行ったユーザは、無用なページ外余白画像の表示が抑制されて有用なページ内容が見易く表示されるといったメリットを享受することができる。また、スクロール操作をリンク選択を目的として行ったユーザは、リンク選択を確実に行うことができるといったメリットを享受することができ、その一方で、スクロール表示が停止されることについては、一時的なものに過ぎないので、操作性を犠牲にすることは殆ど無い。
【００５５】
なお、本発明は、前述した実施の形態に限定されるものではなく、本発明の特徴を損なわない限度において種々変更することができる。
【００５６】
例えば、本発明は、操作部４として、ジョイステックやジョグを用いる場合にも有効に適用することができる。
【符号の説明】
【００５７】
１  車載機
３  表示部
４  操作部
７  ＨＴＭＬページ表示処理部
１０  カーソル表示処理部
１１  ページスクロール処理部
１２  ページ外余白画像表示処理部
１４  ＨＴＭＬページ端位置検出部
１５  ページスクロール制御部
【図１】
2013149010.tif 000003
【図２】
2013149010.tif 000004
【図３】
2013149010.tif 000005
【図４】
2013149010.tif 000006
【図５】
2013149010.tif 000007
【図６】
2013149010.tif 000008